(57)【特許請求の範囲】
【請求項１】
複数のエレベータからインシデント情報およびインシデント発生時のエレベータ属性情報を収集するインシデント収集部と、
前記インシデント収集部によって収集された前記インシデント情報および前記エレベータ属性情報を記憶するインシデント履歴記憶部と、
前記インシデント履歴記憶部から取得した前記インシデント情報および前記エレベータ属性情報に基づいて、保守対象のエレベータの設定の適否を評価する設定評価部と、
前記インシデント情報および前記エレベータ属性情報に基づいて、前記エレベータ属性情報に含まれるエレベータ設定情報の推奨設定を算出する設定推奨部と、
前記設定推奨部にて推奨設定された前記エレベータ設定情報に基づいて、前記保守対象のエレベータの性能評価を行う性能評価部と、
を備える、エレベータ保守システム。
【請求項２】
請求項１に記載のエレベータ保守システムであって、
前記エレベータ保守システムは、ネットワークを介して互いに通信可能な、各前記エレベータの制御装置と、センタサーバと、情報端末装置とを有し、
前記センタサーバは、前記インシデント収集部、前記インシデント履歴記憶部、前記設定評価部、前記設定推奨部、および前記性能評価部を備え、
前記センタサーバから前記情報端末装置に対して、前記保守対象のエレベータの設定の適否評価の結果、前記エレベータ設定情報の推奨設定、および前記保守対象のエレベータの性能評価を提示することを特徴とする、エレベータ保守システム。
【請求項３】
複数のエレベータのインシデント情報の流れを制御するインシデント制御部と、
前記インシデント制御部によって扱われる前記インシデント情報を記憶するインシデント履歴記憶部と、
複数のエレベータからエレベータ属性情報を収集して管理するエレベータ属性管理部と、
前記エレベータ属性管理部によって収集された前記エレベータ属性情報を記憶するエレベータ属性記憶部と、
前記インシデント履歴記憶部から取得した前記インシデント情報と、前記エレベータ属性記憶部から取得した前記エレベータ属性情報とに基づいて、保守対象のエレベータの設定の適否を評価する設定評価部と、
前記インシデント情報および前記エレベータ属性情報に基づいて、前記エレベータ属性情報に含まれるエレベータ設定情報の推奨設定を算出する設定推奨部と、
前記設定推奨部にて推奨設定された前記エレベータ設定情報に基づいて、前記保守対象のエレベータの性能評価を行う性能評価部と、
を備える、エレベータ保守システム。
【請求項４】
請求項３に記載のエレベータ保守システムであって、
前記エレベータ保守システムは、ネットワークを介して互いに通信可能な、各前記エレベータの制御装置と、センタサーバと、情報端末装置とを有し、
前記センタサーバは、前記インシデント制御部を前記複数のエレベータから前記インシデント情報を収集するインシデント収集部として備えるとともに、前記インシデント履歴記憶部、前記エレベータ属性管理部、前記エレベータ属性記憶部、前記設定評価部、前記設定推奨部、および前記性能評価部を備え、
前記センタサーバから前記情報端末装置に対して、前記保守対象のエレベータの設定の適否評価の結果、前記エレベータ設定情報の推奨設定、および前記保守対象のエレベータの性能評価を提示することを特徴とする、エレベータ保守システム。
【請求項５】
請求項３に記載のエレベータ保守システムであって、
前記エレベータ保守システムは、ネットワークを介して互いに通信可能な、各前記エレベータの制御装置と、センタサーバと、情報端末装置とを有し、
前記センタサーバは、前記エレベータ属性管理部、前記エレベータ属性記憶部、前記設定評価部、前記設定推奨部、および前記性能評価部を備え、前記センタサーバから前記情報端末装置に対して、前記保守対象のエレベータの設定の適否評価の結果、前記エレベータ設定情報の推奨設定、および前記保守対象のエレベータの性能評価を提示し、
前記エレベータの各前記制御装置は前記インシデント制御部として、当該エレベータにおける前記インシデント情報を前記インシデント履歴記憶部から前記センタサーバへ送信するインシデント管理部として備えるとともに、前記エレベータには少なくとも１つ以上の前記インシデント履歴記憶部が備えられることを特徴とする、エレベータ保守システム。
【請求項６】
請求項５に記載のエレベータ保守システムにおいて、前記エレベータの各前記制御部として備えられるエレベータ制御装置であって、
前記センタサーバとの通信を行う通信ソフトウェア、
を備え、
前記通信ソフトウェアは、前記インシデント管理部が前記インシデント履歴記憶部から収集した前記インシデント情報を前記センタサーバに送信することを特徴とする、エレベータ制御装置。
【請求項７】
前記設定評価部は、前記エレベータ属性情報に含まれるエレベータ仕様情報に基づいて、当該エレベータ仕様情報が類似する所定数のエレベータを抽出することを特徴とする、請求項３ないし５のいずれかに記載のエレベータ保守システム。
【請求項８】
エレベータ保守システムに用いられる設定評価装置であって、
エレベータに関する仕様およびインシデントをアイテムとし、前記エレベータをユーザとし、各前記仕様の値と各インシデントの発生頻度を示す指標をスコアとするリコメンデーションエンジンにおいて、
設定評価対象の前記インシデントの発生頻度のスコアを一旦削除し、前記リコメンデーションエンジンを実行して前記一旦削除した前記インシデントの発生頻度のスコアを予測値として予測し、前記設定評価対象の前記インシデントの発生頻度の実際のスコアと前記予測値とを比較し、前記予測値よりも前記実際のスコアの方が大きい場合は前記評価対象の設定が不適であると判定する、設定評価装置。
【請求項９】
請求項１ないし５のいずれかに記載のエレベータ保守システムであって、
前記設定評価部として、請求項８に記載の設定評価装置を用いることを特徴とする、エレベータ保守システム。
【請求項１０】
エレベータ保守システムに用いられる設定推奨装置であって、
エレベータに関する仕様、設定、およびインシデントをアイテムとし、前記エレベータをユーザとし、各前記仕様の値、各前記設定の値、および各インシデントの発生頻度を示す指標をスコアとするリコメンデーションエンジンにおいて、
推奨対象の前記設定のスコアを一旦削除し、前記推奨対象の前記インシデントの発生頻度のスコアに所望値を入力し、前記所望値に基づいて前記リコメンデーションエンジンを実行して前記一旦削除した前記設定のスコアを予測値として予測し、当該予測値を適正値として推奨する、設定推奨装置。
【請求項１１】
請求項１ないし５のいずれかに記載のエレベータ保守システムであって、
前記設定推奨部として、請求項１０に記載の設定推奨装置を用いることを特徴とする、エレベータ保守システム。
【請求項１２】
エレベータ保守システムに用いられる性能評価装置であって、
エレベータに関する仕様、設定、およびインシデントをアイテムとし、前記エレベータをユーザとし、各前記仕様の値、各前記設定の値、および各インシデントの発生頻度を示す指標をスコアとするリコメンデーションエンジンにおいて、
性能評価対象の前記インシデントの発生頻度のスコアを一旦削除し、前記性能評価対象の前記設定のスコアに所望値を入力し、前記所望値に基づいて前記リコメンデーションエンジンを実行して前記一旦削除した前記インシデントの発生頻度のスコアを予測値として予測し、当該予測値を性能評価指標として出力する、性能評価装置。
【請求項１３】
請求項１ないし５のいずれかに記載のエレベータ保守システムであって、
前記性能評価部として、請求項１２に記載の性能評価装置を用いることを特徴とする、エレベータ保守システム。
【発明の詳細な説明】
【技術分野】
【０００１】
本発明は、エレベータの適切な制御パラメータやオプション装置の推奨や、当該推奨された制御パラメータやオプション装置の追加・変更を判断するために必要な情報を提供するエレベータ保守システム、エレベータ制御装置、設定評価装置、設定推奨装置、および性能評価装置に関する。
【背景技術】
【０００２】
従来のエレベータ保守システムでは、保守作業員が保守用の携帯情報端末機器をエレベータの制御盤に接続してから、制御パラメータの変更やオプション装置の有無を設定する必要があった。すなわち、保守作業員は、エレベータが設置されている現場に行って保守作業を行う必要があった。
【０００３】
上記に対して、エレベータ制御装置にＷＷＷ通信ソフトウェアを設け、エレベータの仕様を表示・変更するプログラムをＷＷＷサーバに設けることによって、ビル管理者やビルオーナーなどの一般管理者が、ＷＷＷネットワークに接続可能な通信端末機器を用いてＷＷＷサーバの仕様変更プログラムを実行し、エレベータの仕様を変更することができるシステムがある（例えば、特許文献１参照）。
【０００４】
また、各ビルの設備の保守データを収集して分析し、分析結果を共有データとして提供することによって設備のリプレース時期などを適正化することができるシステムがある（例えば、特許文献２参照）。
【先行技術文献】
【特許文献】
【０００５】
【特許文献１】特開２００３−１８２９４６号公報
【特許文献２】特開２００４−９４２９９号公報
【発明の概要】
【発明が解決しようとする課題】
【０００６】
エレベータの制御パラメータの適正値やオプション装置の要・不要は、各ビルあるいはエレベータの利用状況や保守状況により異なる。例えば、子供や高齢者が多いマンションや商業施設では、エレベータの乗降に時間がかかる可能性があるので、エレベータのドア周りのセンサを追加したり、戸開閉速度を遅くしたりすることは一般的に有効であるが、オフィス内のエレベータでは、輸送の効率が低下して待ち時間が増大する可能性があるため敬遠される傾向がある。上記のような利用状況は、ビルに入居するテナント数や営業スケジュールによっても変化するものである。
【０００７】
しかしながら、従来のエレベータ保守システムでは、ビルごとあるいは日ごとに異なる動的な利用状況に対応して、適切な制御パラメータやオプション装置を推奨することができなかった。また、推奨した制御パラメータやオプション装置を追加、変更した場合において、実際に運用しないと運行状況がどのように変化するのかを確認することができなかった。
【０００８】
本発明は、これらの問題点を解決するためになされたものであり、ビルやエレベータの利用状況や保守状況に応じて、エレベータの適切な制御パラメータやオプション装置の推奨や、当該推奨された制御パラメータやオプション装置の追加・変更を判断するために必要な情報を提供するエレベータ保守システムを提供することを目的としている。
【課題を解決するための手段】
【０００９】
上記の課題を解決するために、本発明によるエレベータ保守システムは、複数のエレベータからインシデント情報およびインシデント発生時のエレベータ属性情報を収集するインシデント収集部と、インシデント収集部によって収集されたインシデント情報およびエレベータ属性情報を記憶するインシデント履歴記憶部と、インシデント履歴記憶部から取得したインシデント情報およびエレベータ属性情報に基づいて、保守対象のエレベータの設定の適否を評価する設定評価部と、インシデント情報およびエレベータ属性情報に基づいて、エレベータ属性情報に含まれるエレベータ設定情報の推奨設定を算出する設定推奨部と、設定推奨部にて推奨設定されたエレベータ設定情報に基づいて、保守対象のエレベータの性能評価を行う性能評価部とを備えることを特徴とする。
【発明の効果】
【００１０】
本発明によると、複数のエレベータからインシデント情報およびインシデント発生時のエレベータ属性情報を収集するインシデント収集部と、インシデント収集部によって収集されたインシデント情報およびエレベータ属性情報を記憶するインシデント履歴記憶部と、インシデント履歴記憶部から取得したインシデント情報およびエレベータ属性情報に基づいて、保守対象のエレベータの設定の適否を評価する設定評価部と、インシデント情報およびエレベータ属性情報に基づいて、エレベータ属性情報に含まれるエレベータ設定情報の推奨設定を算出する設定推奨部と、設定推奨部にて推奨設定されたエレベータ設定情報に基づいて、保守対象のエレベータの性能評価を行う性能評価部とを備えるため、ビルやエレベータの利用状況や保守状況に応じて、エレベータの適切な制御パラメータやオプション装置の推奨や、当該推奨された制御パラメータやオプション装置の追加・変更を判断するために必要な情報を提供することが可能となる。
【図面の簡単な説明】
【００１１】
【図１】本発明の実施形態１によるエレベータ保守システムを示す構成図である。
【図２】本発明の実施形態１によるインシデント履歴記憶装置に格納されるインシデント情報およびエレベータ属性情報の一例を示す図である。
【図３】本発明の実施形態１によるインシデント履歴記憶装置に格納されるインシデント情報およびエレベータ属性情報の一例を示す図である。
【図４】本発明の実施形態１による設定評価装置の動作を示すフローチャートである。
【図５】本発明の実施形態１によるエレベータ仕様−インシデントモデルの一例を示す図である。
【図６】本発明の実施形態１によるエレベータ仕様に関するインシデントの補正の一例を示す図である。
【図７】本発明の実施形態１による設定推奨装置の動作を示すフローチャートである。
【図８】本発明の実施形態１によるエレベータ設定−インシデントモデルの一例を示す図である。
【図９】本発明の実施形態１による設定推奨画面の表示の一例を示す図である。
【図１０】本発明の実施形態１による制御パラメータ推奨結果表示画面の表示の一例を示す図である。
【図１１】本発明の実施形態１による比較属性設定画面の表示の一例を示す図である。
【図１２】本発明の実施形態１による性能比較評価結果画面の表示の一例を示す図である。
【図１３】本発明の実施形態１によるオプション装置推奨結果表示画面の表示の一例を示す図である。
【図１４】本発明の実施形態１による設定評価装置の動作の一例を示すフローチャートである。
【図１５】本発明の実施形態１による設定評価装置のインシデント発生状況の診断手法の一例を示す図である。
【図１６】本発明の実施形態１による設定推奨装置の動作の一例を示すフローチャートである。
【図１７】本発明の実施形態１による設定推奨装置の設定推奨手法の一例を示す図である。
【図１８】本発明の実施形態１による性能評価装置の性能評価手法の一例を示す図である。
【図１９】本発明の実施形態２によるエレベータ保守システムを示す構成図である。
【図２０】本発明の実施形態２によるエレベータ属性記憶装置に記憶されるエレベータ属性情報の一例を示す図である。
【図２１】本発明の実施形態２によるインシデント履歴記憶装置に記憶されるインシデント情報の一例を示す図である。
【図２２】本発明の実施形態２によるインシデント履歴記憶装置に記憶されるインシデント情報の一例を示す図である。
【図２３】本発明の実施形態２による設定評価装置の動作を示すフローチャートである。
【図２４】本発明の実施形態２による設定評価装置の動作を示すフローチャートである。
【図２５】本発明の実施形態２による類似現場の抽出の一例を示す図である。
【図２６】本発明の実施形態３によるエレベータ保守システムを示す構成図である。
【図２７】本発明の実施形態３によるインシデント履歴記憶装置に記憶されるインシデント情報の一例を示す図である。
【図２８】本発明の実施形態３によるインシデント履歴記憶装置に記憶されるインシデント情報の一例を示す図である。
【発明を実施するための形態】
【００１２】
本発明の実施形態について、図面に基づいて以下に説明する。
【００１３】
〈実施形態１〉
図１は、本発明の実施形態１によるエレベータ保守システムを示す構成図である。図１に示すように、本実施形態１によるエレベータ保守システムは、ネットワーク１２を介して互いに通信可能な、各エレベータかご４の制御装置５と、センタサーバ１と、情報端末装置２とを有している。ビル３には少なくとも１台のエレベータかご４が設置されており、各エレベータかご４はエレベータ制御装置５に接続されている。エレベータ制御装置５に搭載された通信ソフトウェア（通信ＳＷ）６は、ネットワーク１２を介してセンタサーバ１に接続されている。
【００１４】
センタサーバ１は、複数のエレベータのエレベータ制御装置５からインシデント情報およびインシデント発生時のエレベータ属性情報を収集するインシデント収集装置７（インシデント収集部）と、インシデント収集装置７によって収集されたインシデント情報およびエレベータ属性情報を記憶するインシデント履歴記憶装置８（インシデント履歴記憶部）と、インシデント履歴記憶装置８から取得したインシデント情報およびエレベータ属性情報に基づいて、保守対象のエレベータの設定の適否を評価する設定評価装置９（設定評価部）と、インシデント情報およびエレベータ属性情報に基づいて、エレベータ属性情報に含まれるエレベータ設定情報の推奨設定を算出する設定推奨装置１０（設定推奨部）と、設定推奨装置１０にて推奨設定されたエレベータ設定情報に基づいて、保守対象のエレベータの性能評価を行う性能評価装置１１（性能評価部）とを備えている。
【００１５】
インシデント収集装置７は、ネットワーク１２を介して接続された各エレベータかご４のエレベータ制御装置５からインシデント情報およびエレベータ属性情報を収集し、収集したインシデント情報およびエレベータ属性情報をインシデント履歴記憶装置８に格納（記憶）している。なお、インシデント収集装置７は、ネットワークを介して接続された各エレベータにてインシデントが発生した場合に、エレベータ側からの通報による自動受信、あるいは一般監視者による情報端末装置からの入力、あるいは保守作業者による作業時の情報端末装置からの入力、あるいは利用者や一般管理者からの通報を受信したセンターの作業員による情報端末装置からの入力によって、インシデント履歴記憶装置８にインシデント内容（インシデント情報）とインシデント発生時のエレベータ属性（エレベータ属性情報）とを格納する。
【００１６】
設定評価装置９は、インシデント履歴記憶装置８に格納されたインシデント履歴に基づいてエレベータ属性の適否を評価する。設定推奨装置１０は、インシデント履歴情報に基づいて、エレベータの利用状況や保守状況に応じて、制御パラメータの適正値やオプション装置の有無などの推奨設定を出力する。性能評価装置１１は、設定推奨装置１０によって推奨された設定でエレベータを動作させた場合における性能をシミュレーション評価し、評価結果を設定推奨装置１０に送信する。設定推奨装置１０は、推奨設定と、当該推奨設定でエレベータを動作させた場合における性能の評価結果を設定評価装置９に送信し、設定評価装置９は設定評価結果と設定推奨結果と性能評価結果を出力する。すなわち、センタサーバ１から情報端末装置２に対して、保守対象のエレベータの設定の適否評価の結果、エレベータ設定情報の推奨設定、および推奨された設定を実行した場合に予測される保守対象のエレベータの性能評価を提示する。利用者は、パーソナルコンピュータや携帯電話等の情報端末装置２を用いて、設定評価装置９から受信した各結果を参照したり、各結果から設定を選択して当該設定を実行（すなわち、設定の変更）することができる。
【００１７】
図２は、インシデント履歴記憶装置８に格納されるインシデント情報およびエレベータ属性情報の一例を示す図である。図２に示すように、インシデント履歴記憶装置８には、
インシデント情報およびエレベータ属性情報が格納されており、エレベータ属性情報は、エレベータ仕様情報とエレベータ設定情報とからなる。インシデント情報は、エレベータにて発生したインシデントに関する情報であり、１件のインシデントに１つ割り当てられる識別番号であるインシデント識別番号フィールド２１、１台のエレベータかご４に１つ割り当てられる現場番号フィールド２２、発生日時フィールド２３、インシデントの内容を分類したインシデント内容フィールド２４などがある。
【００１８】
なお、インシデント内容フィールド２４は、インシデント分類のコード番号であってもよく、インシデントの内容を自然言語で記録したものであってもよい。インシデントの内容について、駆け込みインシデントは、戸閉中に乗場ボタンが押された、あるいはかごの戸開ボタンが押された、あるいはドアセンサが作動したなどにより、戸反転した状況をカメラ画像や信号情報を観察することにより検出することができる。また、挟まれインシデントは、戸閉ドアのトルク値の増大やカメラ画像などにより検出することができる。また、閉じ込めインシデントは、インターホンによるセンター通報、カメラ画像、異常停止に関する信号などにより検出することができる。
【００１９】
インシデント収集装置７は、上記の信号やカメラ画像を収集・解析してインシデントを検出する装置であり、インシデント収集装置７が定期的にネットワーク上を巡回してこれらの情報を取得するようにしてもよく、保守作業員やセンター側の作業者がインシデント収集装置７に取得を指示してもよく、ビルオーナーなどの一般管理者が情報端末装置２を用いてインシデント収集装置７に対象現場の情報を収集するように促すようにしてもよい。なお、インシデント収集装置７は、上記の他に、インシデントの原因、現象、処置内容などをインシデント情報としてインシデント履歴記憶装置８に格納してもよい。
【００２０】
エレベータ仕様情報は、ビルやエレベータの仕様や利用状況に関する情報であり、ビル用途フィールド２５、住居人数フィールド２６などがある。これらの情報は、エレベータの利用者層、利用率、混雑度、待ち時間に関連する。なお、エレベータ仕様情報は、上記の他に、機種、住所、エレベータ用途、テナント数、起動回数、定員、竣工日付、階床数、エレベータ速度、走行時間、マンションにおけるペット飼育可否などの情報を含んでもよい。エレベータ設定情報は、エレベータの制御に関わる設定可能なパラメータやオプションとして付加される装置に関する情報であり、ドアセンサフィールド２７、戸開閉時間フィールド２８、不干渉時間フィールド２９などがある。オプション装置の情報は、図２に示すドアセンサフィールド２７のように、オプション装置のタイプを入力してもよいし、オプション装置の有無の情報を単に「１」、「０」などとして入力してもよい。
【００２１】
インシデント履歴記憶装置８には、インシデント情報とインシデント発生時のエレベータ属性情報とが格納されており、例えば、インシデント番号「００００００２」と「００００００５」と「００００００６」は同じ現場「００００５」であるが、住居人数の増加、ドアセンサの変更、戸開閉時間や不干渉時間が変更されており、各インシデント番号で異なる値が記憶されている。このような場合に、インシデント発生時のエレベータ属性を考慮して、現場状況に応じた精緻な評価と推奨を実施することができる。
【００２２】
また、インシデント情報およびエレベータ属性情報は、図３に示すように、例えば月ごとにインシデントを集計したインシデント統計情報であってもよい。インシデント統計情報は、発生年月フィールド３１、現場識別番号フィールド３２、ビル用途フィールド３３、住居人数フィールド３４、ドアセンサフィールド３５、戸開閉時間フィールド３６、不干渉時間フィールド３７、故障回数フィールド３８、駆け込み回数フィールド３９などがある。ビル用途フィールド３３、住居人数フィールド３４、ドアセンサフィールド３５、戸開閉時間フィールド３６、および不干渉時間フィールド３７は、インシデント発生時のエレベータ仕様情報およびエレベータ設定情報であり、これら以外に前述の情報を追加してもよい。また、図３の現場識別番号「００００５」の現場のように、同一の現場であっても仕様情報あるいは設定情報が異なる場合は、異なるデータとして統計処理を行う。故障回数フィールド３８は、不具合や問い合わせなどの通報、故障などの発報の回数である。なお、上記以外に、エレベータかごと乗場の段差の程度や発生回数、照明のちらつき、エレベータかご内の騒音や振動、エレベータかご内の人物の暴れの程度や発生回数などをインシデントとして記録してもよい。また、いずれのフィールドも回数ではなく、発生頻度等の統計情報でもよい。また、インシデント内容が自然言語で記録されている場合は、当該インシデント内容の記述からＴＦ−ＩＤＦ（Ｔｅｒｍ  Ｆｒｅｑｕｅｎｃｙ−Ｉｎｖｅｒｓｅ  Ｄｏｃｕｍｅｎｔ  Ｆｒｅｑｕｅｎｃｙ）などのキーワード抽出手法を利用してキーワードを抽出し、当該キーワードの出現頻度を算出することにより、統計情報として利用することができる。
【００２３】
設定評価装置９は、インシデント履歴記憶装置８からインシデント情報およびエレベータ仕様情報を取得し、インシデントとエレベータ仕様情報との相関を分析する。図４は、設定評価装置９の設定評価動作を示すフローチャートである。図４に示すように、インシデント履歴記憶装置８に格納されているインシデント情報を取得する（ステップＳ４１）。次に、インシデント情報とエレベータ仕様情報とから、エレベータ仕様−インシデントモデルを生成する（ステップＳ４２）。なお、ここで、全てのエレベータに関するインシデントを用いるのではなく、評価対象のエレベータと仕様が類似するエレベータのインシデントのみを抽出してもよい。また、エレベータ仕様−インシデントモデルの生成に用いるエレベータ仕様情報には、設定変更対象ではないエレベータ設定情報を含んでもよい。
【００２４】
図５は、エレベータ仕様−インシデントモデルの一例を示す図である。図５では、エレベータ仕様を住居人数、インシデントを駆け込み回数としてグラフ上にプロットした２次元のモデルを示しているが、エレベータ仕様、インシデントともに上述の他の情報を用いることができ、それぞれを多次元にすることも可能である。グラフ上にプロットしたデータに基づいて、近似曲線を求める。このときの近似曲線を、住居人数−駆け込み回数モデル５２とする。近似曲線は、直線、２次曲線、指数関数などがあり、プロットデータとの誤差が最小になるように決定する最小自乗法などにより求められる。
【００２５】
また、エレベータ仕様により補正したインシデントデータをグラフ上にプロットしてもよい。図６は、エレベータ仕様に関するインシデントの補正の一例を示す図である。図６において、対象現場が現場識別番号６３が「００００３」の現場であるとすると、ビル用途６４が同じかあるいは類似、すなわち「オフィス」である現場が他にない、あるいは少ないため診断（評価）が困難である（図６（ｂ）参照）。そのような場合は、ビル用途ごとの住居人数当たりの駆け込み回数、すなわち駆け込み率を平均した駆け込み率平均６２を求め、駆け込み回数６６を駆け込み率平均６２により補正して、駆け込み回数補正６７を求める（図６（ａ），（ｂ）参照）。上記のようにして求められた駆け込み回数補正６７を用いて、住居人数−駆け込み回数補正のモデル６９を生成し、対象現場のデータ６８を診断する（図６（ｃ）参照）。なお、駆け込み回数補正の代わりに、住居人数当たりの駆け込み回数すなわち駆け込み率を補正した駆け込み率補正を用いてもよい。
【００２６】
図４のステップＳ４２にてエレベータ仕様−インシデントモデルの生成後、エレベータ仕様−インシデントモデルにおいて、分析対象である現場のインシデント発生状況が他の現場と比較して多いか否かを診断する（ステップＳ４３）。すなわち、図５に示す対象現場のデータ５１が、住居人数−駆け込み回数モデル５２より多いか否か、多い場合は、どの程度離れているのかを分析する。この分析結果を、ネットワーク１２を介して一般管理者が利用可能な情報端末装置２に送信して表示し、エレベータの設定の改善を行うか否かを一般管理者が選択できるようにしてもよい。インシデントが多いと判断された場合、あるいは一般管理者が改善を行うことを選択した場合には、設定評価装置９は、設定推奨装置１０から受信した推奨設定を情報端末装置２に提示する。設定推奨装置１０は、インシデントとエレベータ設定情報との相関を分析することにより、エレベータの制御パラメータやオプション装置の追加などを推奨する。
【００２７】
図７は、本発明の実施形態１による設定推奨装置１０の動作を示すフローチャートである。図７に示すように、インシデント履歴記憶装置８からインシデント情報を（ステップＳ７１）、当該エレベータから現在のエレベータ設定情報を取得する（ステップＳ７２）。なお、インシデント情報は、インシデント履歴記憶装置８から取得してもよく、設定評価装置９が設定評価時に用いた情報をそのまま利用してもよく、設定評価時に用いた情報あるいはインシデント履歴記憶装置８から取得した情報から良好な現場および当該エレベータのみを抽出して利用してもよい。また、全てのエレベータに関するインシデントを用いるのではなく、評価対象のエレベータと仕様が類似するエレベータのインシデントのみを抽出してもよい。また、ステップＳ７２にて取得するエレベータ設定情報は、設定変更対象のエレベータ設定情報に限らず、設定変更対象ではないエレベータ設定情報やエレベータ仕様情報を含んでいてもよい。次に、インシデント情報とエレベータ仕様情報とから、エレベータ設定−インシデントモデルを生成する（ステップＳ７３）。
【００２８】
図８は、本発明の実施形態１によるエレベータ設定−インシデントモデルの一例を示す図である。図８では、エレベータ設定を不干渉時間、インシデントを住居人数当たりの駆け込み回数（すなわち、駆け込み率）を上記の方法で補正した駆け込み率補正としてグラフ上にプロットした２次元のモデルを示しているが、上述の他の情報を用いることもでき、それぞれ多次元にすることも可能である。グラフ上にプロットしたデータに基づいて、近似曲線を求める。このときの近似曲線を、不干渉時間−駆け込み率補正モデル８２とする。なお、近似曲線は、直線、２次曲線、指数関数などであり、プロットデータとの誤差が最小になるように決定する最小自乗法などにより求められる。また、ビル用途が同じ現場など類似現場に絞ってプロットしてもよく、エレベータ仕様−インシデントモデルより下の領域、すなわちインシデントが少ない良好な状況の現場に絞ってプロットしてもよい。エレベータ仕様−インシデントモデルで有意な傾向が見られる場合は、エレベータ仕様とインシデントとの間に相関があると考えられる。例えば、図８の場合では、不干渉時間が長くなると、駆け込み率補正が少なくなるという傾向が示されている。従って、駆け込みの多い現場に対しては、エレベータの属性（エレベータ設定情報）である「不干渉時間」を長く、すなわち図８の場合は「不干渉時間」を「４」より大きくすることを推奨する（図７のステップＳ７４）。
【００２９】
設定推奨装置１０は、推奨したエレベータの属性（エレベータ設定情報）を性能評価装置１１に送信する。性能評価装置１１は、設定推奨装置１０にて推奨されたエレベータの属性を設定した場合における効果と影響についての評価を行う。例えば、図８の場合において、不干渉時間をｔ、駆け込み率補正をｋ’として、不干渉時間−駆け込み率補正モデル８２が、
ｋ’＝−０．０１ｔ＋０．０８  ・・・（１）
で表されるとし、対象現場の不干渉時間−駆け込み率補正データ８１がグラフ上の（４，０．０５）にあるとする。次に、対象現場に適合するように不干渉時間−駆け込み率補正モデル８２を補正して、対象現場の不干渉時間−駆け込み率補正モデル８３を求める。なお、図８では、対象現場の不干渉時間−駆け込み率補正データ８１の点を通るように、不干渉時間−駆け込み率補正モデル８２を平行移動させることによって、対象現場の不干渉時間−駆け込み率補正モデル８３を求めているが、所定の係数を掛けるなどの変換によって求めてもよい。不干渉時間−駆け込み率補正モデルによれば、不干渉時間ｔ＝４のとき駆け込み率補正ｋ’＝０．０４であるので、対象現場の不干渉時間−駆け込み率補正モデル８３は、
ｋ’＝−０．０１ｔ＋０．０９  ・・・（２）
となる。従って、性能評価装置１１は、例えば、ｔ＝５のときｋ’＝０．０４、ｔ＝６のときｋ’＝０．０３を出力する。さらに、性能評価装置１１は、他のエレベータ設定−インシデントモデルにこの値を適用した場合に、挟まれ回数などの他のインシデントがどのように変化するかを求めたり、シミュレーションにより待ち時間や運行効率がどのように変化するかを求めたりする。
【００３０】
設定推奨装置１０は、性能評価装置１１から性能評価結果を受信し、設定推奨結果とともに設定評価装置９に送信する。設定評価装置９は、設定評価結果と共に、設定推奨装置１０から受信した性能評価結果と設定推奨結果とを利用者（情報端末装置２）に提示する。図９は、本発明の実施形態１による情報端末装置２に提示される設定推奨画面の表示の一例を示す図である。設定推奨画面には、エレベータ仕様や現在の設定を表示するエレベータ属性表示エリア９１、他の現場と比較したインシデント分析結果を表示する分析結果表示エリア９２、分析結果をグラフで表示する分析結果グラフ表示エリア９３、設定推奨装置１０が推奨する制御パラメータに関するエレベータの属性を表示させるためのボタンである制御パラメータ推奨結果表示ボタン９４、設定推奨装置１０が推奨するオプション装置を表示するためのボタンであるオプション装置推奨結果表示ボタン９５が表示される。なお、分析結果グラフ表示エリア９３には、関連する他のインシデント情報を表示してもよい。例えば、図９では、駆け込みインシデントの分析結果の例を示しており、頻繁に駆け込みが発生すると挟まれインシデントが増加する可能性があるので、駆け込み回数と共に戸挟まれ報告数を表示している。制御パラメータ推奨結果表示ボタン９４を押下すると、図１０に示すような制御パラメータ推奨結果画面が表示される。オプション装置推奨結果表示ボタン９５を押下すると、図１３に示すようなオプション装置推奨結果表示画面が表示される。
【００３１】
図１０は、制御パラメータ推奨結果表示画面の表示の一例を示す図である。図１０に示すように、制御パラメータ推奨結果表示画面には、現在の設定内容を表示する現在の設定表示エリア１０１、設定推奨装置１０が出力したエレベータの属性の推奨内容を表示するおすすめ内容表示エリア１０２、おすすめ内容表示エリア１０２に表示されたエレベータの属性を設定するためのボタンであるおすすめ内容設定ボタン１０３、設定推奨装置１０が出力したエレベータの推奨属性を設定した場合における効果と影響を性能評価装置１１によって評価した結果を表示する比較結果１０４、推奨された値以外の値や推奨されたエレベータの属性以外のエレベータの属性を変更した場合における性能評価の実行を開始するための再評価ボタン１０５、エレベータの属性の設定変更を取りやめるためのキャンセルボタン１０６が表示されている。なお、現在の設定表示エリア１０１には、推奨する制御パラメータに加えて当該制御パラメータ以外のエレベータの属性を表示してもよく、当該制御パラメータ以外の設定内容を表示するためのボタンを別途設けてもよい。おすすめ内容設定ボタン１０３は、ビルオーナーなどの一般管理者が設定推奨装置１０によって推奨された制御パラメータを容易に、誤ることなく設定することができるように設けられたボタンである。なお、制御パラメータの設定方法は、上記のボタンによる設定の他に、設定値を直接入力させるようにしてもよく、スライダー等のインタフェースを用いて入力させるようにしてもよい。おすすめ内容設定ボタン１０３が押下されると、設定推奨装置１０は、ネットワーク１２を介してエレベータの制御装置５に設置された通信ソフトウェア６にエレベータの属性変更の指示を送信し、制御装置５内の制御パラメータの値を変更する。比較結果１０４には、推奨されたエレベータの属性を設定した場合における効果と影響を一般管理者が容易に把握できるように、性能評価装置１１から出力された評価結果が表示される。再評価ボタン１０５は、一般管理者が、比較結果１０４の表示内容以外の値を設定したり、エレベータの属性を変更したりした場合における性能をそれぞれ比較することができるように設けられたボタンであり、当該ボタンを押下すると、図１１に示すような比較属性設定画面が表示される。
【００３２】
図１１は、比較属性設定画面の表示の一例を示す図である。図１１に示すように、比較属性設定画面には、現在の設定内容を表示する現在の設定表示エリア１１１、性能を比較するエレベータの属性を設定する比較パターン設定エリア１１２、比較パターンを追加させるボタンである比較パターン追加ボタン１１３、性能評価を開始するためのボタンである評価開始ボタン１１４、比較を取りやめるためのキャンセルボタン１１５が表示されている。比較パターン設定エリア１１２には、テキスト入力欄、スライダー、コンボボックスなどの入力インタフェースを設け、比較するエレベータの属性の値やオプション装置の有無を変更することができる。比較パターン追加ボタン１１３を押下すると、比較パターン設定エリア１１２の比較パターンを「比較３」、「比較４」・・・と追加することができる。評価開始ボタン１１４を押下すると、設定推奨装置１０を経由して、性能評価装置１１に比較パターンの設定内容が送信され、各設定内容に対して性能評価が実行された後、各比較評価結果が情報端末装置２に返信される。
【００３３】
図１２は、性能比較評価結果画面の表示の一例を示す図である。性能比較評価結果画面には、現在の設定と比較パターンの設定内容との比較を表示するためのボタンである比較パターン表示ボタン１２１、現在の設定と比較パターンで設定した設定内容とを性能評価装置１１によって比較した結果を表示する比較結果１２２、比較パターンで設定した内容を設定するための設定ボタン１２３、比較パターンを変更して再度性能評価を行うための再評価ボタン１２４、性能評価を取りやめるためのキャンセルボタン１２５が表示されている。比較パターン表示ボタン１２１を押下すると、現在の設定と比較パターンの設定内容とを一覧表示する。比較パターンの表示画面は図１１と同様の様式であるが、図１２は設定内容を表示するのみで設定の変更はできない。再評価ボタン１２４を押下すると、図１１の画面を表示して、再度、比較パターンを設定して性能評価を行うことができる。キャンセルボタン１２５を押下すると、図１０に示す制御パラメータ推奨結果表示画面に戻る。
【００３４】
図１３は、オプション装置推奨結果表示画面の表示の一例を示す図である。オプション装置推奨結果表示画面には、現在の設定内容を表示する現在の設定表示エリア１３１、設定推奨装置１０が出力したエレベータの属性の推奨内容を表示するおすすめ内容表示エリア１３２、おすすめ内容表示エリア１３２に表示されたオプションについて問い合わせを行うためのおすすめ内容問い合わせボタン１３３、設定推奨装置１０が出力したエレベータの推奨属性を設定した場合における効果と影響を性能評価装置１１によって評価した結果を表示する比較結果１３４、推奨された設定以外のオプション装置や他の属性を設定した場合における性能評価の実行を開始するための再評価ボタン１３５、他のオプション装置を検索するためのオプション検索ボタン１３６、オプション装置の問い合わせを取りやめるためのキャンセルボタン１３７が表示される。おすすめ内容問い合わせボタン１３３を押下すると、推奨されたオプション装置のカタログを表示またはダウンロードしたり、センターへ問い合わせメールを送信して、保守作業員の次回来訪時に詳細な説明を促したりすることができる。再評価ボタン１３５を押下すると、図１１に示す比較属性設定画面を表示して、推奨されたオプション装置以外のオプションや他の属性との比較を行うことができる。オプション検索ボタン１３６を押下すると、商品検索画面を表示するか、あるいは、オプション装置の一覧画面を表示する。
【００３５】
なお、本実施形態１では、エレベータ仕様を住居人数、インシデントを駆け込み、エレベータ設定を不干渉時間として、駆け込み回数の多寡により、不干渉時間の変更やドアセンサなどのオプション装置の追加を推奨して、一般管理者の情報端末装置２に出力する手法を例に説明した。同様の方法によって、照明のちらつきの発生回数や程度に応じて照明装置の交換時期を推奨して照明切れを防止したり、かごと乗場の段差の発生回数や程度に応じてブレーキや着床装置の点検時期を推奨して利用者のつまづきや転倒事故を防止したりすることもできる。また、一般管理者の情報端末装置ではなく、保守作業員やセンター側の情報端末装置に推奨結果を出力することもできる。エレベータ仕様、インシデント、エレベータ設定の関係は、ここで説明した以外の要素を選択することも可能であり、予め主成分分析やクラスタリングなどの手法により、相関の強い要素を選択しておくことができる。
【００３６】
設定評価装置９は、エレベータ仕様情報とインシデント情報に基づくリコメンデーションエンジンによって、エレベータの制御パラメータやオプション装置を推奨するようにしてもよい。図１４は、本発明の実施形態１による協調フィルタリングを用いた設定評価装置９の動作の一例を示すフローチャートである。図１４に示すように、設定評価装置９は、インシデント履歴記憶装置８からインシデント情報（ステップＳ１４１）とエレベータ仕様情報とを取得する（ステップＳ１４２）。なお、エレベータ仕様情報は、設定対象でないエレベータ設定情報を含んでもよい。次に、協調フィルタリングにより、インシデントの発生状況を診断する（ステップＳ１４３）。
【００３７】
図１５は、設定評価装置９における協調フィルタリングによるインシデント発生状況の診断手法の一例を示す図である。図１５に示すように、まず、現場ａ〜ｄのエレベータ仕様情報１５１とインシデント発生回数１５２による評価値行列を生成する。エレベータ仕様情報１５１は、都道府県、住居人数、定員が記述されているが、他に、前述のようなビル用途、テナント数、起動回数、機種、エレベータ用途、竣工日付、階床数、エレベータ速度、走行時間、マンションにおけるペット飼育可否などの情報を追加してもよい。エレベータ仕様情報１５１は、数値で表されるものは数値を入力し、数値で表されないものは、図１５に示す都道府県のように、取りうる値をエレベータ仕様情報として追加し、例えば該当するものを「１」、該当しないものを「０」とするなどの方法により数値化する。インシデント発生回数１５２は、状況を診断する対象となるインシデントおよび関連するインシデントの発生回数であり、ここでは駆け込み回数をインシデント発生回数とした例について説明するが、関連するインシデントして「挟まれ」などを追加してもよい。また、インシデント発生回数１５２は、発生回数である必要はなく、発生頻度や発生頻度を表す指数などでもよい。
【００３８】
図１５において、現場ｃの駆け込み回数の多寡を診断すると想定する。まず、評価値行列から、診断対象である現場ｃの駆け込み回数データを削除し、各列の最大値が１００、最小値が０となるように正規化する。図１５に示す例では、線形関数による正規化を行っているが、属性が線形以外の特性を持つ場合は、特性に即した関数による正規化を行う。次に、現場ｃとそれ以外の現場との相関係数を算出する。その後、算出された相関係数の重みをつけて、現場ｃの正規化駆け込み回数を予測し、逆補正を行って駆け込み回数を算出する。図１５に示す例では、現場ｃの駆け込み回数が８．３９４と予測されている。この予測値がエレベータの属性に基づく、現場ｃの適正な駆け込み回数であるとする。そして、予測値と実際の値とを比較して、実際の値の方が多い場合はインシデントが多いと判定することができる。一方、インシデントが多くないと判定された場合は、エレベータの属性の推奨を行わずに終了することもできる。すなわち、設定評価装置９は、エレベータに関する仕様およびインシデントをアイテムとし、エレベータをユーザとし、各仕様の値と各インシデントの発生頻度を示す指標をスコアとするリコメンデーションエンジンにおいて、設定評価対象のインシデントの発生頻度のスコアを一旦削除し、リコメンデーションエンジンを実行して一旦削除したインシデントの発生頻度のスコアを予測値として予測し、設定評価対象のインシデントの発生頻度の実際のスコアと予測値とを比較し、予測値よりも実際のスコアの方が大きい場合は評価対象の設定が不適であると判定する。
【００３９】
なお、ここでは現場間の相関による、いわゆるユーザベースの協調フィルタリングによる設定評価の例について説明したが、エレベータ仕様およびインシデント間の相関による、いわゆるアイテムベースの協調フィルタリングでも同様に設定評価を行うことができる。上記の評価結果より、インシデントが多いと判定された場合は、設定推奨装置１０によって適切な設定を推奨する。
【００４０】
設定推奨装置１０は、エレベータ属性情報とインシデント情報に基づくリコメンデーションエンジンによって、エレベータの制御パラメータやオプション装置を推奨するようにしてもよい。図１６は、本発明の実施形態１による協調フィルタリングを用いた設定推奨装置１０の動作の一例を示すフローチャートである。ここで、エレベータ属性情報とは、エレベータ仕様情報とエレベータ設定情報とからなる情報である。図１６に示すように、設定推奨装置１０は、まず、インシデント履歴記憶装置８からインシデント情報（ステップＳ１６１）とエレベータ属性情報とを取得する（ステップＳ１６２）。次に、協調フィルタリングにより、インシデント情報およびエレベータ属性情報とに基づいてエレベータの属性を推奨する（ステップＳ１６３）。
【００４１】
図１７は、設定推奨装置１０における協調フィルタリングによるエレベータの設定推奨手法の一例を示す図である。図１７に示すように、まず、現場ａ〜ｄのエレベータ仕様情報１７１、エレベータ設定情報１７２、インシデント発生回数１７３による評価値行列を生成する。エレベータ仕様情報１７１としては、都道府県、住居人数、定員が記述されているが、他に、前述のようなビル用途、テナント数、起動回数、機種、エレベータ用途、竣工日付、階床数、エレベータ速度、走行時間、マンションにおけるペット飼育可否などの情報を追加してもよい。数値で表されないものは、図１５と同様の方法により数値化する。インシデント発生回数１７３は、エレベータの設定の改善を行う対象となるインシデントおよび関連するインシデントの発生回数であり、ここでは駆け込み回数をインシデント発生回数とした例について説明するが、関連するインシデントとして「挟まれ」などを追加してもよい。また、インシデント発生回数１７３は、発生回数である必要はなく、発生頻度や発生頻度を表す指数などでもよい。エレベータ設定情報１７２は、エレベータ属性情報のうちの設定可能な情報であり、ここでは駆け込み回数に関連のある「戸開閉時間」と「不干渉時間」としているが、インシデント発生回数との関連の有無や設定変更の可否に関わらず、他のエレベータ設定情報を追加することもできる。また、例えば、取り付けるオプション装置によって戸開閉時間が異なる場合など、他の設定情報の影響を受ける場合や組み合わせに制限がある場合には、それらを組み合わせた情報、すなわち「オプションａで３秒」、「オプションａで４秒」、「オプションｂで４秒」をエレベータ設定情報とすることにより、このような条件による制限を考慮できる。
【００４２】
図１７において、現状の駆け込み回数「１０」を「５」に低減するために、戸開閉時間および不干渉時間を変更することを想定する。現場ｃの駆け込み回数のスコアを所望の改善値「５」に変更し、変更するエレベータ設定情報である戸開閉時間と不干渉時間のスコアを削除する。次に、各列の最大値が１００、最小値が０となるように、図１５と同様の方法で正規化する。次に、現場ｃとそれ以外の現場との相関係数を算出する。その後、算出された相関係数の重みをつけて、現場ｃの正規化戸開閉時間と正規化不干渉時間とを予測し、逆補正を行って戸開閉時間と不干渉時間とを算出する。図１７に示す例では、現場ｃの戸開閉時間が３．５４９８５、不干渉時間が５．２３７６１と予測されている。この予測値が、現場ｃの適切な戸開閉時間および不干渉時間であるとする。すなわち、設定推奨装置１０は、エレベータに関する仕様、設定、およびインシデントをアイテムとし、エレベータをユーザとし、各仕様の値、各設定の値、および各インシデントの発生頻度を示す指標をスコアとするリコメンデーションエンジンにおいて、推奨対象の設定のスコアを一旦削除し、推奨対象のインシデントの発生頻度のスコアに所望値を入力し、所望値に基づいてリコメンデーションエンジンを実行して一旦削除した設定のスコアを予測値として予測し、当該予測値を適正値として推奨する。
【００４３】
なお、設定値が整数である場合や、オプションの有無などのように設定値が０−１の場合は、四捨五入するなどの方法により、適切な値を設定値とする。また、例えば、ドアセンサなどのように複数の選択肢の中から１つを選択する場合は、算出された予測値のうちの最大の値を持つ選択肢を推奨する。あるいは複数の選択肢が選択可能な場合には、算出された予測値の上位から所定数を推奨したり、予測値にしきい値を設け、所定のしきい値以上の予測値を持つ選択肢を推奨したりすることもできる。また、ここでは現場間の相関による、いわゆるユーザベースの協調フィルタリングによる設定推奨の例について説明したが、エレベータ属性及びインシデント間の相関による、いわゆるアイテムベースの協調フィルタリングでも同様に設定推奨を行うことができる。
【００４４】
性能評価装置１１は、エレベータ仕様情報とエレベータ設定情報とに基づくリコメンデーションエンジンによって、インシデント情報を予測するようにしてもよい。図１８は、本発明の実施形態１による協調フィルタリングを用いた性能評価装置１１の性能評価手法の一例を示す図である。図１８に示すように、まず、エレベータ属性情報とインシデント情報とを取得し、現場ａ〜ｄのエレベータ仕様情報１８１、エレベータ設定情報１８２、インシデント発生回数１８３による評価値行列を生成する。エレベータ仕様情報１８１には、都道府県、住居人数、定員が記述されているが、他に、前述のようなビル用途、テナント数、起動回数、機種、エレベータ用途、竣工日付、階床数、エレベータ速度、走行時間、マンションにおけるペット飼育可否などの情報を追加してもよい。数値で表されないものは、図１５と同様の方法によって数値化する。インシデント発生回数１８３は、エレベータの設定の改善を行う対象となるインシデントおよび性能評価対象である性能指標であり、ここでは駆け込み回数を改善対象、挟まれ回数を性能指標とした例について説明するが、関連するインシデントとして「つまづき」、性能指標として「平均待ち時間」などを追加してもよい。また、インシデント発生回数１８３は、発生回数である必要はなく、発生頻度や発生頻度を表す指数などでもよい。エレベータ設定情報１８２は、変更対象のエレベータ設定情報を含む、現在のエレベータの属性情報であり、ここでは駆け込み回数に関連のある「戸開閉時間」と「不干渉時間」とした。また、例えば、取り付けるオプション装置によって戸開閉時間が異なる場合など、他の設定情報の影響を受ける場合や組み合わせに制限がある場合は、それらを組み合わせた情報、すなわち「オプションａで３秒」、「オプションａで４秒」、「オプションｂで４秒」をエレベータ設定情報とすることにより、このような条件による制限を考慮できる。
【００４５】
図１８において、戸開閉時間を「４」、不干渉時間を「５」とした場合の駆け込み回数と挟まれ回数を予測することを想定する。現場ｃの戸開閉時間と不干渉時間をそれぞれ変更する設定値に設定して、評価対象の性能指標のスコアを削除する。次に、各列の最大値が１００、最小値が０となるように、図１５と同様の方法で正規化する。次に、現場ｃとそれ以外の現場との相関係数を算出する。その後、算出された相関係数の重みをつけて、現場ｃの正規化駆け込み回数および正規化挟まれ回数を予測し、逆補正を行って駆け込み回数と挟まれ回数を算出する。図１８に示す例では、現場ｃの駆け込み回数が８．００１４２、挟まれ回数が１．８７３６４となり、戸開閉時間および不干渉時間を変更する以前と比較して、いずれの性能指標も改善されると予測される。すなわち、性能評価装置１１は、エレベータに関する仕様、設定、およびインシデントをアイテムとし、エレベータをユーザとし、各仕様の値、各設定の値、および各インシデントの発生頻度を示す指標をスコアとするリコメンデーションエンジンにおいて、性能評価対象のインシデントの発生頻度のスコアを一旦削除し、性能評価対象の設定のスコアに所望値を入力し、所望値に基づいてリコメンデーションエンジンを実行して一旦削除したインシデントの発生頻度のスコアを予測値として予測し、当該予測値を性能評価指標として出力する。
【００４６】
なお、ここでは現場間の相関による、いわゆるユーザベースの協調フィルタリングによる設定推奨の例について説明したが、エレベータ属性及びインシデント間の相関による、いわゆるアイテムベースの協調フィルタリングでも同様に設定推奨を行うことができる。
【００４７】
以上のことから、ビル管理者やビルオーナーなどの一般管理者が、ビルやエレベータの利用状況や保守状況に応じて、エレベータの制御パラメータやオプション装置の有無が適切か否かを判断することができるため、適切でないと判断した場合は、適切なエレベータの制御パラメータやオプション装置を容易に選択して設定することができる。また、設定を変更した場合における効果や影響を事前に把握することができるため、設定の変更・追加を判断するために必要な情報を一般管理者などに提供することができる。
【００４８】
〈実施形態２〉
図１９は、本発明の実施形態２によるエレベータ保守システムを示す構成図である。本実施形態２では、センタサーバ１９１がエレベータ属性管理装置１９９、エレベータ属性記憶装置２００を備えていることを特徴としている。その他の構成および動作は実施形態１と同様である。図１９に示すように、ビル１９３には、少なくとも１台のエレベータかご１９４が設置されており、それぞれのエレベータかご１９４はエレベータ制御装置１９５に接続されている。エレベータ制御装置１９５に搭載された通信ソフトウェア（ＳＷ）１９６は、ネットワーク２０４を介してセンタサーバ１９１に接続されている。
【００４９】
センタサーバ１９１は、複数のエレベータのインシデント情報の流れを制御するインシデント制御部として、複数のエレベータからインシデント情報を収集するインシデント収集装置１９７（インシデント収集部）を備えている。また、インシデント収集装置１９７によって収集されたインシデント情報を記憶するインシデント履歴記憶装置１９８（インシデント履歴記憶部）と、複数のエレベータからエレベータ属性情報を収集して管理するエレベータ属性管理装置１９９（エレベータ属性管理部）と、エレベータ属性管理装置１９９によって収集されたエレベータ属性情報を記憶するエレベータ属性記憶装置２００（エレベータ属性記憶部）と、インシデント履歴記憶装置１９８から取得したインシデント情報と、エレベータ属性記憶装置２００から取得したエレベータ属性情報とに基づいて、保守対象のエレベータの設定の適否を評価する設定評価装置２０１（設定評価部）と、インシデント情報およびエレベータ属性情報に基づいて、エレベータ属性情報に含まれるエレベータ設定情報の推奨設定を算出する設定推奨装置２０２（設定推奨部）と、設定推奨装置２０２にて推奨設定されたエレベータ設定情報に基づいて、保守対象のエレベータの性能評価を行う性能評価装置２０３（性能評価部）とを備える。
【００５０】
センタサーバ１９１は、ネットワーク２０４を介して接続された各エレベータかご１９４のエレベータ制御装置１９５からインシデント収集装置１９７によりインシデント情報を収集し、収集したインシデント情報をインシデント履歴記憶装置１９８に格納している。また、エレベータ属性管理装置１９９は、ネットワーク２０４を介してエレベータ制御装置１９５からエレベータ属性情報を収集し、収集したエレベータ属性情報をエレベータ属性記憶装置２００に格納している。
【００５１】
設定評価装置２０１は、インシデント履歴記憶装置１９８から取得したインシデント履歴（インシデント情報）と、エレベータ属性記憶装置２００から取得したエレベータ属性情報とに基づいて、評価対象のエレベータの属性の適否を評価する。設定推奨装置２０２は、インシデント情報とエレベータ属性情報とに基づいて、エレベータの利用状況や保守状況に応じて、制御パラメータの適正値やオプション装置の有無などの推奨設定を出力する。性能評価装置２０３は、設定推奨装置２０２により推奨されたエレベータの属性を設定した場合の性能をシミュレーション評価し、評価結果を設定推奨装置２０２に送信する。
【００５２】
設定推奨装置２０２は、推奨する設定と、当該設定を行った場合の性能の評価結果とを設定評価装置２０１に送信し、設定評価装置２０１は設定評価結果と設定推奨結果と性能評価結果とを出力し、ネットワーク２０４を介して例えば情報端末装置１９２に送信する。すなわち、センタサーバ１９１から情報端末装置１９２に対して、保守対象のエレベータの設定の適否評価の結果、エレベータ設定情報の推奨設定、および推奨された設定を実行した場合に予測される保守対象のエレベータの性能評価を提示する。一般管理者などの利用者は、パーソナルコンピュータや携帯電話等の情報端末装置１９２を用いて、設定評価装置２０１の上記出力結果を参照したり、出力結果からエレベータの属性を選択して設定したりすることができる。
【００５３】
図２０は、本発明の実施形態２によるエレベータ属性記憶装置２００に記憶されるエレベータ属性情報の一例を示す図である。図２０に示すように、エレベータ属性情報は、期間、現場識別番号、エレベータ仕様情報、エレベータ設定情報からなる。エレベータ属性管理装置１９９は、エレベータが設置されたときや、エレベータの設定が変更されたときにエレベータ属性情報を収集し、収集したエレベータ属性情報をエレベータ属性管理装置２００に格納する。なお、エレベータ属性管理装置１９９によるエレベータ属性情報の収集は、定期的にネットワーク上を巡回して取得してもよく、保守作業員やセンター側の作業者がエレベータ属性管理装置１９９に取得を指示するようにしてもよい。
【００５４】
期間フィールド２１１は、当該エレベータの属性が設定されていた期間を表し、設定開始日と設定終了日からなる。なお、設定開始日と設定終了日とは、別々のフィールドで管理してもよく、いずれか一方のみを管理して同じ現場識別番号を持つデータが入力された場合には、データを追加して、新しい日付を持つデータにより更新されたものとしてもよい。なお、エレベータ属性管理装置１９９が定期的に、例えば毎月、すべてのエレベータの属性を受信するようにした場合は、期間ではなく、受信年月などとしてもよい。現場識別番号フィールド２１２は、１台のエレベータかご１９４につき１つ割り当てられる現場識別番号である。エレベータ仕様情報は、ビルやエレベータの仕様や利用状況に関する情報であり、ビル用途フィールド２１３、住居人数フィールド２１４、テナント数フィールド２１５、起動回数フィールド２１６、定員フィールド２１７などがある。これらの情報は、エレベータの利用者層、利用率、混雑度、待ち時間に関連する。なお、エレベータ仕様情報は、上記の他に、機種、住所、エレベータ用途、竣工日付、階床数、エレベータ速度、走行時間、マンションにおけるペット飼育可否などの情報を含んでもよい。エレベータ設定情報は、エレベータの制御に関わる設定可能なパラメータやオプションとして付加される装置の情報であり、ドアセンサフィールド２１８、戸開閉時間フィールド２１９、不干渉時間フィールド２２０などがある。オプション装置情報は、図２０に示すドアセンサフィールド２１８のように、装置のタイプを入力してもよく、単に有無の情報を「１」、「０」などで入力してもよい。このように、エレベータ属性情報をセンタサーバ１９１にてまとめて管理することにより、容易に類似現場を抽出することができ、類似現場のみを参照して、より効率的で精緻な評価や推奨を行うことができる。
【００５５】
図２１は、本発明の実施形態２によるインシデント履歴記憶装置１９８に記憶されるインシデント情報の一例を示す図である。図２１に示すように、インシデント情報は、１件のインシデントに１つ割り当てられる識別番号であるインシデント識別番号フィールド２２１、エレベータ属性情報の現場識別番号フィールド２１２（図２０）に対応する現場識別番号フィールド２２２、インシデントの発生日時またはセンターでの受信日時である発生日時フィールド２２３、インシデントの内容を分類したインシデント内容フィールド２２４などがある。インシデント内容フィールド２２４は、インシデント分類のコード番号であってもよく、インシデントの内容を自然言語で記録したものであってもよい。駆け込みインシデントは、戸閉中に乗場ボタンが押された、あるいはかごの戸開ボタンが押された、あるいはドアセンサが作動したなどにより、戸反転した状況をカメラ画像や信号情報を観察することにより検出できる。挟まれインシデントは、戸閉ドアトルク値の増大やカメラ画像などにより検出できる。閉じ込めインシデントは、インターホンによるセンター通報、カメラ画像、異常停止に関する信号などにより検出できる。
【００５６】
インシデント収集装置１９７は、上記のような信号やカメラ画像を収集・解析して、インシデントを検出する装置であり、インシデント収集装置１９７が定期的にネットワーク上を巡回してこれらの情報を取得するようにしたり、エレベータの通信ソフトウェアを通じて送信するように促してもよく、保守作業員やセンター側の作業者がインシデント収集装置１９７に取得を指示してもよく、ビルオーナーなどの一般管理者が情報端末装置１９２を用いてインシデント収集装置１９７に当該現場の情報を送信したり、収集するように促すようにしてもよい。インシデント情報は、上記の他に、インシデントの原因、現象、処置内容などを格納してもよい。
【００５７】
また、インシデント情報は、例えば月ごとにインシデントを集計したインシデント統計情報であってもよい。図２２は、インシデント履歴記憶装置１９８に記憶される月ごとに集計したインシデント情報の一例を示す図である。図２２に示すように、インシデント統計情報は、発生年月フィールド２３１、現場識別番号フィールド２３２、故障回数フィールド２３３、駆け込み回数フィールド２３４、挟まれ回数フィールド２３５、閉じ込め回数フィールド２３６などがある。故障回数フィールド２３３は、不具合や問い合わせなどの通報、故障などの発報の回数である。閉じ込め回数フィールド２３６は、戸が開かずにエレベータかご内に人が閉じ込められた回数を表すが、閉じ込め人数でもよい。上記以外に、エレベータかごと乗場の段差の程度や発生回数、照明のちらつき、エレベータかご内の騒音や振動、エレベータかご内の人物の暴れの程度や発生回数などをインシデントとして記録してもよい。いずれのフィールドも回数ではなく、発生頻度等の統計情報でもよい。インシデント内容が自然言語で記録されている場合は、当該インシデント内容の記述からＴＦ−ＩＤＦ（Ｔｅｒｍ  Ｆｒｅｑｕｅｎｃｙ−Ｉｎｖｅｒｓｅ  Ｄｏｃｕｍｅｎｔ  Ｆｒｅｑｕｅｎｃｙ）などのキーワード抽出手法を利用してキーワードを抽出し、当該キーワードの出現頻度を算出することにより、統計情報として利用することができる。
【００５８】
設定評価装置２０１は、インシデント履歴記憶装置１９８からインシデント情報を、エレベータ属性記憶装置２００からエレベータ仕様情報を収集し、それらの相関を分析する。図２３は、本発明の実施形態２による設定評価装置２０１の動作を示すフローチャートである。図２３に示すように、設定評価装置２０１は、インシデント履歴記憶装置１９８に格納されているインシデント情報を取得するとともに（ステップＳ２３１）、エレベータ属性記憶装置２００からエレベータ属性情報のうちの仕様に関わるエレベータ仕様情報を取得する（ステップＳ２３２）。なお、ステップＳ２３２にて取得するエレベータ仕様情報はエレベータ仕様情報に限らず、設定変更対象ではないエレベータ設定情報を含んでいてもよい。ここで、ネットワークで接続された全てのエレベータを比較評価対象としてもよいし、類似現場を抽出するようにしてもよい。
【００５９】
図２４は、本発明の実施形態２による類似ビルのインシデント情報を抽出する場合における設定評価装置２０１の動作を示すフローチャートである。図２４に示すように、設定評価装置２０１は、エレベータ属性記憶装置２００に格納されているエレベータ属性情報のうちのエレベータ仕様情報を取得する（ステップＳ２４１）。図２４のステップＳ２４１は、図２３のステップＳ２３２に対応している。次に、当該エレベータとエレベータ仕様情報が類似する現場を抽出する（ステップＳ２４２）。なお、ステップＳ２４１にて取得するエレベータ仕様情報は、エレベータ仕様情報に限らず、設定変更対象ではないエレベータ設定情報を含んでいてもよい。
【００６０】
図２５は、本発明の実施形態２による類似現場の抽出の一例を示す図であり、具体的には、図２４のステップＳ２４２の動作の一例を示している。図２０に示すような現場があり、現場番号「００００１」を対象現場と想定すると、まず、ビル用途ごとのインシデントを算出するために、インシデントごとに最大値１０、最小値１となるようにインシデント回数を正規化する。なお、インシデント回数でなくても、インシデントの発生頻度や程度でもあってもよい。また、正規化の方法は線形関数によらず、インシデントの特性に適した正規化関数を選択してもよい。次に、ビル用途２５１ごとに、各インシデント回数の平均値、すなわち、故障回数平均２５２、駆け込み回数平均２５３、挟まれ回数平均２５４、閉じ込め回数平均２５５を算出する。対象現場のビル用途は「オフィス」であるため、オフィスと各ビル用途とのインシデント相関係数２５６を算出する。算出されたインシデント相関係数２５６に応じて、類似ポイントを割り当てる。図２５では、対象現場とビル用途が同じである「オフィス」を「４」とし、他のビル用途についてはインシデント相関係数２５６の高いものから順に、「３」、「２」、「１」となるように類似ポイントを割り当てた。また、インシデント相関係数２５６が算出できない「マンション」については、負の相関を持つ「病院」よりは類似度が高いとした。なお、類似ポイントは上記のような算出方法でなくても類似度を指標化できる方法であればよく、ポイントでなく類似度そのものを用いてもよい。
【００６１】
次に、他のエレベータ仕様についても同様に類似ポイントを算出し、各現場のエレベータ仕様を類似ポイントに変換する。図２５では、現場番号２５７に対して、ビル用途類似ポイント２５８、住居人数類似ポイント２５９、テナント数類似ポイント２６０、起動回数類似ポイント２６１、定員類似ポイント２６２を算出した。次に、現場番号２５７ごとに算出された類似ポイントの平均２６３を算出し、所定の値以上の現場、あるいは上位から所定数の現場を類似現場として抽出する。なお、類似現場の抽出方法は、上記のような方法でなくても、ビル用途、機種などの仕様が一致する現場や住居人数、テナント数などの仕様が所定の範囲にあるものを抽出する方法でもよい。また、エレベータ仕様により補正したインシデントデータをグラフ上にプロットしてもよい。補正の方法は実施形態１と同様であるため、ここでは説明を省略する。
【００６２】
図２４に戻り、ステップＳ２４２の後、設定評価装置２０１は、インシデント履歴記憶装置１９８からインシデント情報を取得する（ステップＳ２４３）。次に、エレベータ仕様情報とインシデント情報とに基づいて、エレベータ仕様−インシデントモデルを生成し（ステップＳ２４４）、分析対象である現場のインシデント発生状況が他の現場と比較して多いか否かを診断する（ステップＳ２４５）。ここで、ステップＳ２４４，２４５は、図２３のステップＳ２３３，２３４に対応する。なお、これらの動作は実施形態１と同様であるため、ここでは説明を省略する。ステップＳ２４５にてインシデントが多いと判断された場合、あるいは一般管理者が改善を行うことを選択した場合において、設定評価装置２０１は、設定推奨装置２０２から受信した推奨設定を情報端末装置２などに提示する。
【００６３】
設定推奨装置２０２は、インシデント履歴記憶装置１９８からインシデント情報を取得し、エレベータ属性記憶装置２００からエレベータ属性情報を取得し、それらの相関を分析することにより、エレベータの制御パラメータやオプション装置の追加などを推奨する。設定推奨装置２０２および性能評価装置２０３の動作については、実施の形態１と同様であるため、ここでは説明を省略する。利用者あるいは保守作業者が図１０に示す設定ボタン１０３を押下するなどによって設定の変更を行った場合、エレベータ属性管理装置１９９は、エレベータ属性記憶装置２００に格納されているエレベータの属性を更新する。
【００６４】
以上のことから、ビル管理者やビルオーナーなどの一般管理者が、類似の他の現場と比較して、エレベータの制御パラメータやオプション装置の有無が適切か否かを判断することができるため、適切でないと判断した場合は、適切なエレベータの制御パラメータやオプション装置を容易に選択して設定することができる。また、設定を変更した場合における効果や影響を事前に把握することができるため、設定の変更・追加を判断するために必要な情報を一般管理者などに提供することができる。
【００６５】
〈実施形態３〉
図２６は、本発明の実施形態３によるエレベータ保守システムを示す構成図である。本実施形態３では、各エレベータにインシデント管理装置２７７を設け、各ビルに少なくとも１つ以上のインシデント履歴記憶装置２７８を備えていることを特徴としている。その他の構成および動作は、実施形態２と同様である。図２６に示すように、インシデント管理装置２７７は各エレベータに設けられ、当該エレベータのインシデント情報を収集し、収集したインシデント情報をインシデント履歴記憶装置２７８に格納したり、あるいは、インシデント履歴記憶装置２７８から当該エレベータのインシデント情報を取得して、取得したインシデント情報を通信ソフトウェア（ＳＷ）２７６によりネットワーク２８４を介してセンタサーバ２７１に送信したりする。なお、インシデント履歴記憶装置２７８は、図２６に示すようにビル２７３ごとに設けてもよく、エレベータかご２７４ごとに設けてもよい。
【００６６】
センタサーバ２７１は、複数のエレベータからエレベータ属性情報を収集して管理するエレベータ属性管理装置２７９（エレベータ属性管理部）と、エレベータ属性管理装置２７９によって収集されたエレベータ属性情報を記憶するエレベータ属性記憶装置２８０（エレベータ属性記憶部）と、インシデント履歴記憶装置２７８から取得したインシデント情報と、エレベータ属性記憶装置２８０から取得したエレベータ属性情報とに基づいて、保守対象のエレベータの設定の適否を評価する設定評価装置２８１（設定評価部）と、インシデント情報およびエレベータ属性情報に基づいて、エレベータ属性情報に含まれるエレベータ設定情報の推奨設定を算出する設定推奨装置２８２（設定推奨部）と、設定推奨装置２８２にて推奨設定されたエレベータ設定情報に基づいて、保守対象のエレベータの性能評価を行う性能評価装置２８３（性能評価部）とを備える。
【００６７】
また、センタサーバ２７１から情報端末装置２７２に対して、保守対象のエレベータの設定の適否評価の結果、エレベータ設定情報の推奨設定、および保守対象のエレベータの性能評価を提示する。
【００６８】
また、エレベータの各制御装置２７５は、複数のエレベータのインシデント情報の流れを制御するインシデント制御部として、当該エレベータにおけるインシデント情報をインシデント履歴記憶装置２７８からセンタサーバ２７１へ送信するインシデント管理装置２７７として備えられており、ビル２７３には少なくとも１つ以上のインシデント履歴記憶装置２７８が備えられている。
【００６９】
また、エレベータ制御装置２７５は、センタサーバ２７１との通信を行う通信ＳＷ２７６（通信ソフトウェア）を備え、通信ＳＷ２７６は、インシデント管理装置２７７がインシデント履歴記憶装置２７８から収集したインシデント情報をセンタサーバ２７１に送信する。
【００７０】
図２７は、本発明の実施形態３によるインシデント履歴記憶装置２７８に記憶されるインシデント情報の一例を示す図である。図２７に示すように、インシデント情報には、インシデント番号フィールド２９１、発生日時フィールド２９２、インシデント内容フィールド２９３などがあり、これらは、実施形態１におけるインシデント情報から現場識別番号フィールド（例えば、図２，３参照）を除いたものである。なお、インシデント識別番号フィールド２９１は、他の現場との重複を避けるために、現場識別番号とエレベータごとの通し番号とからなる識別番号としてもよい。インシデント管理装置２７７は、センタサーバ２７１からのインシデント取得要求により、該当エレベータのインシデント情報に現場識別番号を付して送信することにより、センタサーバ側における現場識別を可能にする。また、インシデント情報は、実施形態１と同様に、図２８に示すように、例えば月ごとにインシデントを集計したインシデント統計情報であってもよい。なお、設定評価装置２８１、設定推奨装置２８２、性能評価装置２８３の動作は、実施形態２と同様であるため、ここでは説明を省略する。
【００７１】
以上のことから、ビル管理者やビルオーナーなどの一般管理者が、類似の他の現場と比較して、エレベータの制御パラメータやオプション装置の有無が適切か否かを判断することができるため、適切でないと判断した場合は、適切なエレベータの制御パラメータやオプション装置を容易に選択して設定することができる。また、設定を変更した場合における効果や影響を事前に把握することができるため、設定の変更・追加を判断するために必要な情報を一般管理者などに提供することができる。また、インシデント管理装置およびインシデント履歴記憶装置をビル・エレベータ側に設けたため、センタサーバ側における記憶装置の負荷を低減することができる。
【符号の説明】
【００７２】
１  センタサーバ、２  情報端末装置、３  ビル、４  エレベータかご、５  エレベータ制御装置、６  通信ソフトウェア、７  インシデント収集装置、８  インシデント履歴記憶装置、９  設定評価装置、１０  設定推奨装置、１１  性能評価装置、１２  ネットワーク、２１  インシデント識別番号フィールド、２２  現場識別番号フィールド、２３  発生日時フィールド、２４  インシデント内容フィールド、２５  ビル用途フィールド、２６  住居人数フィールド、２７  ドアセンサフィールド、２８  戸開閉時間フィールド、２９  不干渉時間フィールド、３１  発生年月フィールド、３２  現場識別番号フィールド、３３  ビル用途フィールド、３４  住居人数フィールド、３５  ドアセンサフィールド、３６  戸開閉時間フィールド、３７  不干渉時間フィールド、３８  故障回数フィールド、３９  駆け込み回数フィールド、５１  対象現場のデータ、５２  住居人数−駆け込み回数モデル、６１  ビル用途、６２  駆け込み率平均、６３  現場番号、６４  ビル用途、６５  住居人数、６６  駆け込み回数、６７  駆け込み回数補正、６８  対象現場のデータ、６９  住居人数−駆け込み回数補正モデル、８１  対象現場の不干渉時間−駆け込み率補正データ、８２  不干渉時間−駆け込み率補正モデル、８３  対象現場の不干渉時間−駆け込み率補正モデル、９１  エレベータ属性表示エリア、９２  分析結果表示エリア、９３  分析結果グラフ表示エリア、９４  制御パラメータ推奨結果表示ボタン、９５  オプション装置推奨結果表示ボタン、１０１  現在の設定表示エリア、１０２  おすすめ内容表示エリア、１０３  おすすめ内容設定ボタン、１０４  比較結果、１０５  再評価ボタン、１０６  キャンセルボタン、１１１  現在の設定表示エリア、１１２  比較パターン設定エリア、１１３  比較パターン追加ボタン、１１４  評価開始ボタン、１１５  キャンセルボタン、１２１  比較パターン表示ボタン、１２２  比較結果、１２３  設定ボタン、１２４  再評価ボタン、１２５  キャンセルボタン、１３１  現在の設定表示エリア、１３２  おすすめ内容表示エリア、１３３  おすすめ内容問い合わせボタン、１３４  比較結果、１３５  再評価ボタン、１３６  オプション検索ボタン、１３７  キャンセルボタン、１５１  エレベータ仕様情報、１５２  インシデント発生回数、１７１  エレベータ仕様情報、１７２  エレベータ設定情報、１７３  インシデント発生回数、１８１  エレベータ仕様情報、１８２  エレベータ設定情報、１８３  インシデント発生回数、１９１  センタサーバ、１９２  情報端末装置、１９３  ビル、１９４  エレベータかご、１９５  エレベータ制御装置、１９６  通信ソフトウェア、１９７  インシデント収集装置、１９８  インシデント履歴記憶装置、１９９  エレベータ属性管理装置、２００  エレベータ属性記憶装置、２０１  設定評価装置、２０２  設定推奨装置、２０３  性能評価装置、２０４  ネットワーク、２１１  期間フィールド、２１２  現場識別番号フィールド、２１３  ビル用途フィールド、２１４  住居人数フィールド、２１５  テナント数フィールド、２１６  起動回数フィールド、２１７  定員フィールド、２１８  ドアセンサフィールド、２１９  戸開閉時間フィールド、２２０  不干渉時間フィ��ルド、２２１  インシデント識別番号フィールド、２２２  現場識別番号フィールド、２２３  発生日時フィールド、２２４  インシデント内容フィールド、２３１  発生年月フィールド、２３２  現場識別番号フィールド、２３３  故障回数フィールド、２３４  駆け込み回数フィールド、２３５  挟まれ回数フィールド、２３６  閉じ込め回数フィールド、２５１  ビル用途、２５２  故障回数平均、２５３  駆け込み回数平均、２５４  挟まれ回数平均、２５５  閉じ込め回数平均、２５６  インシデント相関係数、２５７  現場番号、２５８  ビル用途類似ポイント、２５９  住居人数類似ポイント、２６０  テナント数類似ポイント、２６１  起動回数類似ポイント、２６２  定員類似ポイント、２６３  類似ポイント平均、２７１  センタサーバ、２７２  情報端末装置、２７３  ビル、２７４  エレベータかご、２７５  エレベータ制御装置、２７６  通信ソフトウェア、２７７  インシデント管理装置、２７８  インシデント履歴記憶装置、２７９  エレベータ属性管理装置、２８０  エレベータ属性記憶装置、２８１  設定評価装置、２８２  設定推奨装置、２８３  性能評価装置、２８４  ネットワーク、２９１  インシデント番号フィールド、２９２  発生日時フィールド、２９３  インシデント内容フィールド、３０１  発生年月フィールド、３０２  故障回数フィールド、３０３  駆け込み回数フィールド、３０４  挟まれ回数フィールド、３０５  閉じ込め回数フィールド。
【図１】
0005558194.tif 000002
【図２】
0005558194.tif 000003
【図３】
0005558194.tif 000004
【図４】
0005558194.tif 000005
【図５】
0005558194.tif 000006
【図６】
0005558194.tif 000007
【図７】
0005558194.tif 000008
【図８】
0005558194.tif 000009
【図９】
0005558194.tif 000010
【図１０】
0005558194.tif 000011
【図１１】
0005558194.tif 000012
【図１２】
0005558194.tif 000013
【図１３】
0005558194.tif 000014
【図１４】
0005558194.tif 000015
【図１５】
0005558194.tif 000016
【図１６】
0005558194.tif 000017
【図１７】
0005558194.tif 000018
【図１８】
0005558194.tif 000019
【図１９】
0005558194.tif 000020
【図２０】
0005558194.tif 000021
【図２１】
0005558194.tif 000022
【図２２】
0005558194.tif 000023
【図２３】
0005558194.tif 000024
【図２４】
0005558194.tif 000025
【図２５】
0005558194.tif 000026
【図２６】
0005558194.tif 000027
【図２７】
0005558194.tif 000028
【図２８】
0005558194.tif 000029